(57)【要約】【課題】前下がりに斜め設置の棚板上を商品が自然移動にて滑りやすくするための発明があるが、本発明は、水平状態と傾斜状態とに選択設置が可能な棚装置とし、汁物など零れ易いものを貯蔵する場合は、棚を水平状態に設置して使用することにより汁物などを安定に貯蔵でき、内容物が零れないものは棚を斜めに設置することによって、棚の奥に載置したものが見易くなると共に棚の奥に載置したものの取り出しもし易く、しかも棚が載置した食品の荷重に十分耐え食品の安定載置が可能となる棚装置を提供する。【解決手段】少なくとも棚の左右両側の前部、中間部及び後部には、棚支持部によって略水平状態に支持される水平状態支持部と、棚が前下がり傾斜設置状態に支持される前下がり傾斜状態支持部とを設けたことを特徴とする。【選択図】      図２
2004218870.tif 000002
【特許請求の範囲】
【請求項１】
貯蔵庫本体内に形成した前面開口の貯蔵室の左右側壁に設けた棚支持部によって略水平状態に支持される棚を備え、少なくとも前記棚の左右両側の前部、中間部及び後部には、前記棚支持部によって前記棚が略水平状態に支持される水平状態支持部と、前記棚が前下がり傾斜設置状態に支持される前下がり傾斜状態支持部とを設けたことを特徴とする貯蔵庫の棚装置。
【請求項２】
貯蔵庫本体内に形成した前面開口の貯蔵室の左右側壁には少なくとも合成樹脂製棚の左右両側の前部、中間部及び後部を支持する棚支持部が設けられ、前記棚の左右両側の前部には前記棚支持部に載置される前支持部と前記棚支持部に形成した前係止部に引っ掛かるフック部とを備え、前記棚の左右両側の後部には前記棚支持部に載置される後支持部を備え、前記棚の左右両側の中間部には前記棚支持部に係止する上段係止部と下段係止部とを備え、前記棚は、前記後支持部と前支持部と前記下段係止部が前記棚支持部に載置された水平設置状態と、前記フック部が前記前係止部に係止し前記上段係止部が前記棚支持部に載置された前下がり傾斜設置状態とに選択可能であることを特徴とする貯蔵庫の棚装置。
【発明の詳細な説明】
【０００１】
【発明の属する技術分野】
本発明は、冷蔵庫等の貯蔵室に設けた食品載置用の棚装置に関する。
【０００２】
【従来の技術】
缶入り品、ビン入り品等を陳列するために傾斜状態で使用する冷蔵庫の棚板に関するものがある（例えば、特許文献１参照）。
【０００３】
【特許文献１】
特開平０８−１１４３８２号公報（第１〜２頁、図１〜４）
【０００４】
【発明が解決しようとする課題】
特許文献１のものは、棚板上を商品が自然移動にて滑りやすくするための発明に関するものである。本発明は、棚を単に傾斜状態に設置するのではなく、水平状態と傾斜状態とに選択設置が可能な棚装置を提供するものであり、その場合、棚が載置した食品の荷重に十分耐え得るような支持を達成するものである。
【０００５】
【課題を解決するための手段】
本発明の貯蔵庫の棚装置は、貯蔵庫本体内に形成した前面開口の貯蔵室の左右側壁に設けた棚支持部によって略水平状態に支持される棚を備え、少なくとも前記棚の左右両側の前部、中間部及び後部には、前記棚支持部によって前記棚が略水平状態に支持される水平状態支持部と、前記棚が前下がり傾斜設置状態に支持される前下がり傾斜状態支持部とを設けたことを特徴とする。
【０００６】
これによって、汁物など零れ易いものを貯蔵する場合は、棚を水平状態に設置して使用することにより汁物などを安定に貯蔵できる。また、内容物が零れないものは棚を斜めに設置することによって、棚の奥に載置したものが見易くなると共に棚の奥に載置したものの取り出しもし易くなる。そして、棚の左右両側の前部、中間部及び後部には、水平状態支持部と傾斜状態支持部とを設けることによって、棚が載置した食品の荷重に十分耐え食品の安定載置が可能となる。
【０００７】
また、本発明の貯蔵庫の棚装置は、貯蔵庫本体内に形成した前面開口の貯蔵室の左右側壁には少なくとも合成樹脂製棚の左右両側の前部、中間部及び後部を支持する棚支持部が設けられ、前記棚の左右両側の前部には前記棚支持部に載置される前支持部と前記棚支持部に形成した前係止部に引っ掛かるフック部とを備え、前記棚の左右両側の後部には前記棚支持部に載置される後支持部を備え、前記棚の左右両側の中間部には前記棚支持部に係止する上段係止部と下段係止部とを備え、前記棚は、前記後支持部と前支持部と前記下段係止部が前記棚支持部に載置された水平設置状態と、前記フック部が前記前係止部に係止し前記上段係止部が前記棚支持部に載置された前下がり傾斜設置状態とに選択可能であることを特徴とする。
【０００８】
これによって、汁物など零れ易いものを貯蔵する場合は、棚を水平状態に設置して使用することにより汁物などを安定に貯蔵できる。また、内容物が零れないものは棚を斜めに設置することによって、棚の奥に載置したものが見易くなると共に棚の奥に載置したものの取り出しもし易くなる。また、少なくとも棚の左右両側の前部、中間部及び後部が支持されるため、棚を合成樹脂製の板状に形成しても載置する食品の荷重支えを十分に行えるため、デザイン的に優れた合成樹脂製棚が提供できる。また、前記棚の左右両側の前支持部、フック部、上段係止部と下段係止部、及び後支持部は、食品載置の支障とならない位置で合成樹脂製棚に一体成形にて形成することもでき、コスト低減と食品載置の支障とならない棚構成とすることができる。
【０００９】
【発明の実施の形態】
次に、本発明を貯蔵庫の一種である冷蔵庫について説明する。各図は本発明の実施形態を示しており、図１は本発明に係る冷蔵庫の縦断側面図、図２は本発明棚装置の左側部分の分解斜視図、図３は本発明の棚装置の水平支持状態を示す棚装置左側の支持状態説明図、図４は本発明の棚装置の傾斜支持状態を示す棚装置左側の支持状態説明図、図５は本発明棚装置の左右両側前部分の支持に係る他の実施形態図である。
【００１０】
これらの図において、Ｒは貯蔵庫の一つである冷蔵庫であり、前面開口の本体２内を区画して複数の貯蔵室を形成し、これら各貯蔵室の前面は扉で開閉できる構成である。この冷蔵庫において、１は冷蔵庫本体であり、外箱（外壁板）３と内箱（内壁板）２との間に発泡断熱材４を充填した断熱構造である。冷蔵庫本体１内には、貯蔵室として上から冷蔵室５、野菜室６、冷凍室７が区画されて設けられ、冷蔵室５内には複数段に板状棚で構成した棚装置８が設けられている。冷蔵室５内の底部にはその上方の冷蔵室５と最下段の棚装置８にて区画された特定低温室９が設けられ、また冷凍室７は上冷凍室１０と下冷凍室１１に区分されている。
【００１１】
冷蔵室５の前面開口は、冷蔵庫本体１の一側部にヒンジ装置にて横方向に回動して開閉される回動式扉１２にて閉塞される。野菜室６の前面開口は、野菜室６内に設けた左右のレール又はローラ装置によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１２】
２０は冷凍システムの冷媒の圧縮機、２１は冷凍システムの冷媒の凝縮器、２２は凝縮器２１の熱にて後述の冷却器の除霜水を蒸発させる蒸発皿である。２３、２４は冷凍システムの冷媒の冷却器（蒸発器）であり、２３は冷凍室７用冷却器、２４は冷蔵室５、野菜室６及び特定低温室９用冷却器である。２５は第１冷気循環送風機、２６は第２冷気循環送風機である。冷却器２３で冷却した冷気は送風機２５によって、上冷凍室１０及び下冷凍室１１を経て冷却器２３へ帰還する循環をする。また冷却器２４で冷却した冷気は送風機２６によって、冷蔵室５、特定低温室９及び野菜室６を経て冷却器２４へ帰還する循環をする。このような冷気循環経路は図１に矢印で示す。特定低温室９は、前後方向へ引き出し可能に支持した容器２７が設けられ、０℃前後で食品が凍結しない程度の低温に冷却されるものである。
【００１３】
本発明の冷蔵庫本体１内の冷蔵室５に設けた棚装置８の一つまたは複数は、冷蔵室５の左右側壁に設けた棚支持部３１によって略水平状態に支持される棚３０を備え、少なくとも棚３０の左右両側の前部、中間部及び後部には、棚支持部３１によって棚３０が略水平状態に支持される水平状態支持部と、棚３０が前下がり傾斜設置状態に支持される前下がり傾斜状態支持部とを設けた構成である。棚３０は、多数の前後方向の縦線材が複数の横線材によって略等間隔で並列に連結された網棚であってもよいが、特に板状に成形した合成樹脂製棚において効果あるものである。
【００１４】
以下の説明は、本発明の棚装置の構成が合成樹脂製棚３０によって構成された場合を更に詳しく記載するものである。冷蔵室５の左右側壁には、少なくとも合成樹脂製棚３０の左右両側の前部、中間部及び後部の支持部３０Ａ、３０Ｂ、３０Ｃを支持する棚支持部３１が設けられている。棚支持部３１は、棚３０の左右両側の前部、中間部及び後部を支持するのに適するように、冷蔵室５の左右側壁に前後水平状態にレール状に形成され、中間部に切り欠き３８を形成して前後のレール３１Ａ、３１Ｂで構成している。棚３０の左右両側の前部支持部３０Ａとして、棚支持部３１の前レール３１Ａに載置される前支持部３２と棚支持部３１の前レール３１Ａに突出形成した前係止部３３に引っ掛かるフック部３４とを備え、棚３０の左右両側の後部支持部３０Ｃとして棚支持部３１の後レール３１Ｂに載置される後支持部３５を備え、棚３０の左右両側の中間部支持部３０Ｂとして、棚支持部３１の切り欠き３８に対応して前レール３１Ａに係止する上段係止部３６と下段係止部３７とを備える。図３及び図４に示す実施形態では、下段係止部３７が切り欠き３８内を移動可能な寸法関係であり、上段係止部３６が前後のレール３１Ａ、３１Ｂの端部に係止する構成である。
【００１５】
この構成によって、棚３０は、図３に示すように、後支持部３５と前支持部３２と下段係止部３７が棚支持部３１に載置された水平設置状態をとることができる。この水平設置状態では、棚支持部３１の前レール３１Ａに突出形成した前係止部３３に棚３０の前支持部３２が当接して、棚３０が前方へ移動するのが制限される。また、棚３０の後方への移動は、棚３０の中間部において下段係止部３７の下方へ延びたストッパ部３９が後レール３１Ｂに当接することによって制限される。
【００１６】
この水平設置状態から棚３０の前部を持ち上げて前支持部３２が前係止部３３を乗り越えるように棚３０を若干前方へ移動させることによって、下段係止部３７が切り欠き３８に対応し、この状態で棚３０の前部を下方へ下げることによって、下段係止部３７が切り欠き３８内を下方へ移動して、図４に示すように、フック部３４が前係止部３３に係止し、上段係止部３６が棚支持部３１の前後のレール３１Ａ、３１Ｂの端部に係止して、棚３０が前下がり傾斜設置状態となる。
【００１７】
前下がり傾斜設置状態では、図４に示すように、上段係止部３６が前後のレール３１Ａ、３１Ｂの端部に係止する構成としており、これによって、棚３０の中間部の支持が安定し、棚３０を合成樹脂製の板状に形成しても載置する食品の荷重支えを十分に行えるものとなる。
【００１８】
棚３０の中間部においてストッパ部３９の下方には、下段係止部３７と並列に棚３０の浮き上がり抑止片４０を形成しており、これによって、図３に示す水平設置状態において、棚３０が持ち上げられても浮き上がり抑止片４０が後レール３１Ｂの下側に当接することによって、棚３０の浮き上がりが制限される。下段係止部３７と浮き上がり抑止片４０との間隔は、上記のように、棚３０の水平設置状態において、前支持部３２が前係止部３３を乗り越えるために、棚３０の前部を持ち上げ得る寸法関係に形成されている。
【００１９】
上記の構成によって、棚支持部３１によって略水平状態に支持される棚３０の水平状態支持部は、合成樹脂製棚３０の左右両側前部の前支持部３２、下段係止部３７及び後支持部３５で構成され、また前下がり傾斜状態支持部は、合成樹脂製棚３０の左右両側前部のフック部３４、上段係止部３６及び後支持部３５で構成される。
【００２０】
図５には本発明棚装置の左右両側前部分の支持に係る他の実施形態を示す。これにおいて、棚支持部３１の前部には窪み４１を形成し、窪み４１の前側を前係止部３３とする。また、棚３０の前支持部３２の前端部には下方へ突出した係止突起４２を形成し、図５に点線で示すように棚３０の水平設置状態では、窪み４１に係止突起４２が嵌って棚３０の前方への移動が制限される。そして、この水平設置状態から突起４２が窪み４１から外れる高さへ棚３０の前部を持ち上げた状態で、上記同様に棚３０を若干前方へ移動させることによって、下段係止部３７が切り欠き３８に対応し、この状態で棚３０の前部を下方へ下げることによって、下段係止部３７が切り欠き３８内を下方へ移動して、フック部３４を窪み４１に嵌める。これによって、フック部３４は前係止部３３に係止状態となり、図４に示すように上段係止部３６が棚支持部３１の前後のレール３１Ａ、３１Ｂの端部に係止して、棚３０が前下がり傾斜設置状態となる。なお、棚３０の前端部に棚３０上の物品の落下防止壁５０を形成することにより、この前下がり傾斜設置状態での物品の安定載置が達成できる。
【００２１】
上記の構成から明らかなように、本発明では、汁物など零れ易いものを貯蔵する場合は、棚３０を水平状態に設置して使用することにより汁物などを安定に貯蔵できる。また、内容物が零れないものは棚３０を前下がりの斜めに設置することによって、棚３０の奥に載置したものが見易くなると共に棚３０の奥に載置したものの取り出しもし易くなる。また、少なくとも棚３０の左右両側の前部、中間部及び後部が支持されるため、棚３０を合成樹脂製の板状に形成しても載置する食品の荷重支えを十分に行えるため、デザイン的に優れた合成樹脂製棚が提供できる。
【００２２】
また、棚３０の左右両側の前支持部３２、フック部３４、上段係止部３６と下段係止部３７、及び後支持部３５は、食品載置の支障とならない位置で合成樹脂製棚３０に一体成形にて形成することができるため、コスト低減と食品載置の支障とならない棚構成とすることができる。
【００２３】
本発明では、棚３０の左右両側の前部、中間部及び後部を支持して、棚３０が水平設置状態と前下がり傾斜設置状態とに選択可能であればよい。そのために、棚３０の左右両側の前部、中間部及び後部を支持するように、棚支持部３１が前棚支持部、中間棚支持部及び後棚支持部の３部分に分割された構成であってもよい。そして、棚３０を網棚で構成する場合にも、上記同様の機能を発揮する構成とすることができる。
【００２４】
本発明は、上記冷蔵室の棚装置に限らず冷凍室などに棚を設ける場合にも適用できる。このため、冷蔵庫の他に冷凍庫、温蔵庫、恒温庫等種々の貯蔵庫に適用できるものであり、本発明の技術的範囲を逸脱しない限り種々の変更が考えられ、それに係る種々の実施形態を包含するものである。
【００２５】
【発明の効果】
本発明によって、汁物など零れ易いものを貯蔵する場合は、棚を水平状態に設置して使用することにより汁物などを安定に貯蔵できる。また、内容物が零れないものは棚を斜めに設置することによって、棚の奥に載置したものが見易くなると共に棚の奥に載置したものの取り出しもし易くなる。そして、棚の左右両側の前部、中間部及び後部には、水平状態支持部と傾斜状態支持部とを設けることによって、棚が載置した食品の荷重に十分耐え食品の安定載置が可能となる。
【００２６】
また、請求項２に発明では、上記効果に加えて、少なくとも棚の左右両側の前部、中間部及び後部の支持によって、棚を合成樹脂製の板状に形成しても載置する食品の荷重支えを十分に行えるため、デザイン的に優れた合成樹脂製棚が提供できる。また、棚の左右両側の前支持部、フック部、上段係止部と下段係止部、及び後支持部は、食品載置の支障とならない位置で合成樹脂製棚に一体成形にて形成することもでき、コスト低減と食品載置の支障とならない棚構成とすることができる。
【図面の簡単な説明】
【図１】本発明に係る冷蔵庫の縦断側面図である。
【図２】本発明棚装置の左側部分の分解斜視図である。
【図３】本発明の棚装置の水平支持状態を示す棚装置左側の支持状態説明図である。
【図４】本発明の棚装置の傾斜支持状態を示す棚装置左側の支持状態説明図である。
【図５】本発明棚装置の左右両側前部分の支持に係る他の実施形態図である。
【符号の説明】
１・・・貯蔵庫（冷蔵庫）
２・・・貯蔵庫本体（冷蔵庫本体）
５・・・貯蔵室（冷蔵室）
８・・・棚装置
３０・・・棚
３０Ａ・・・前部支持部
３０Ｂ・・・中間部支持部
３０Ｃ・・・後部支持部
３１・・・棚支持部
３２・・・前支持部
３３・・・前係止部
３４・・・フック部
３５・・・後支持部
３６・・・上段係止部
３７・・・下段係止部
３８・・・切り欠き
３９・・・ストッパ部
４０・・・浮き上がり抑止片
【図１】
2004218870.tif 000003
【図２】
2004218870.tif 000004
【図３】
2004218870.tif 000005
【図４】
2004218870.tif 000006
【図５】
2004218870.tif 000007